(57)【要約】【課題】  流水域を流下してくる浮遊物を下流側に流出しにくくすることのできるオイルフェンスを提供する。【解決手段】  流水域を流下する浮遊物５０が下流側へ流出しにくくするためのオイルフェンス３０を、（１）所定の喫水Ｄ１で水中に浸漬される水中浸漬部３１ａを有し、少なくとも水中浸漬部３１ａの上流側面３１ａ１が、水面に対して略垂直となる状態で流水域の横断方向に沿って配される遮水フェンス３１と、（２）遮水フェンス３１の上流部で遮水フェンス３１に沿って配され、遮水フェンス３１の上流部における引き込み流発生領域γの水面を、遮水フェンス３１に沿った帯状に覆う引き込み流発生領域被覆部材３２とを備えたものとした。【選択図】  図３
2018184706.tif 000002
【特許請求の範囲】
【請求項１】
流水域を流下する浮遊物が下流側へ流出しにくくするためのオイルフェンスであって、
所定の喫水で水中に浸漬される水中浸漬部を有し、少なくとも水中浸漬部の上流側面が、水面に対して略垂直となる状態で流水域の横断方向に沿って配される遮水フェンスと、
遮水フェンスの上流部で遮水フェンスに沿って配され、遮水フェンスの上流部における引き込み流発生領域の水面を、遮水フェンスに沿った帯状に覆う引き込み流発生領域被覆部材と
を備えた
ことを特徴とするオイルフェンス。
【請求項２】
引き込み流発生領域被覆部材が、油吸着材によって形成された請求項１記載のオイルフェンス。
【請求項３】
請求項１又は２記載のオイルフェンスを流水域に施工するオイルフェンスの施工方法。
【請求項４】
請求項１又は２記載のオイルフェンスを流水域に施工して浮遊物の流出を抑制する浮遊物の流出防止方法。
【発明の詳細な説明】
【技術分野】
【０００１】
本発明は、流水域を流下する浮遊物が下流側へ流出しにくくするためのオイルフェンスと、このオイルフェンスを流水域に施工するオイルフェンスの施工方法と、このオイルフェンスを用いて浮遊物の流出を抑制する浮遊物の流出防止方法とに関する。
【背景技術】
【０００２】
事故等によって河川等の開放水域に流出した石油等の浮遊物の拡散を防止するために、オイルフェンスを設置することが行われている。オイルフェンスとしては、特許文献１の第２図や、特許文献２の図４に示されるように、水面に浮かべるためのフロートと、フロートから垂下されるスカートと、スカートの下端縁が水中に沈んだ状態となるようにスカートの下端縁に取り付けられた錘とで構成されたもの（以下において、この種のオイルフェンスを「スカート垂下型のオイルフェンス」と呼ぶことがある。）が知られている。また、特許文献３の図１及び図２に示されるように、上記のスカート垂下型のオイルフェンスにおけるフロートに相当する部分のみを有し、スカートに相当する部分を有さないもの（以下において、この種のオイルフェンスを「フロート単体型のオイルフェンス」と呼ぶことがある。）も知られている。これらのオイルフェンスは、水面上又は水面付近を流れてくる浮遊物を、フロートやスカートによって、表面の水と一緒に止めることにより、浮遊物の拡散を防止するものとなっている。
【先行技術文献】
【特許文献】
【０００３】
【特許文献１】特開平０２−０５８６２０号公報
【特許文献２】特開２０１０−１５９５６３号公報
【特許文献３】特開２０００−１７０１４４号公報
【発明の概要】
【発明が解決しようとする課題】
【０００４】
上記のスカート垂下型のオイルフェンスは、重油のように粘度の高い浮遊物に対しては、拡散防止効果が認められるものではあったが、軽油のように粘度の低い浮遊物が河川等の流れのある流水域を流下してくる場合には、その浮遊物の流れを止めることが難しかった。具体的には、図１に示すように、従来のスカート垂下型のオイルフェンス１０を流水域に設置した場合には、フロート１１の上流部に油（浮遊物）が溜まってきて、フロート１１の上流部に厚さ０．５〜１ｍｍ程度の油５０の膜５１（浮遊物の層）が形成されるところ、流水域の流速が速い場合（例えば２０ｃｍ／ｓ以上の場合）には、油５０（浮遊物）がスカート１２の下側に潜り込んでオイルフェンス１０の下流側に抜けてしまう現象（以下において、この現象を「流出現象」と呼ぶことがある。）が発生する。この流出現象の発生原因は、これまでに明らかにされていなかった。しかし、本発明者は、自社の実験水路を用いた度重なる実験によって、上記の流出現象が、次のようなメカニズムで発生している可能性が高いことを突き止めた。
【０００５】
すなわち、従来のスカート垂下型のオイルフェンス１０では、水面からスカート１２の下端縁が位置する部分までの水流が阻害されるため、フロート１１の上流側の水面近くには、流速が非常に遅い水域α（図１において破線で台形状に囲まれた領域。以下において、この水域を「滞水領域」と呼ぶことがある。）が形成される。この滞水領域αには、油（浮遊物）が一時的に滞留するようになる。ところが、スカート１２の下端縁よりも下側（水底側）には、スカート１２等の障害物が存在せず、その部分の水流が遮られないため、速い流速で通り抜ける水の流れが生じる（以下において、スカート１２の下端縁よりも水底側の流速の速い領域β（図１において破線で円形に囲まれた領域）を「通水領域」と呼ぶことがある。）。このように、水面近くの滞水領域αと、水中深くの通水領域βとの間に圧力差が生じた結果、滞水領域αの水を通水領域βへと間欠的に引きずり込む下向きの水流γ１（以下、この水流を「引き込み流」と呼ぶことがある。）が発生する。この引き込み流γ１は、渦状に発生することも多い。このような引き込み流γ１が発生した結果、滞水領域αに滞留していた油５０（浮遊物）は、その引き込み流γ１によって通水領域βまで引き込まれて、オイルフェンス１０よりも下流側へと流れ出てしまうと考えられる。
【０００６】
ところで、一見すると、上記の流出現象は、スカート垂下型のオイルフェンス１０のスカート１２を水面から深い位置まで垂下させれば、防ぐことにできるようにも思われる。しかし、スカート１２を水面から深い位置まで設けた実験では、滞水領域αと通水領域βとの流速差がさらに大きくなったためか、上記の引き込み流γ１がより深い位置まで達する大きな渦流として発生し、やはり、上記の流出現象を全く防止できないことが確認された。スカート垂下型のオイルフェンス１０でスカート１２を深くしても、スカート１２の下側（水底側）を潜った油５０（浮遊物）がオイルフェンス１０の下流側において再浮上する位置が、下流側になるだけであった。このことからも、上記の流出現象は、上述したようなメカニズムで発生していることが裏付けられる。
【０００７】
以上の知見からすれば、上記の流出現象の防止には、オイルフェンスを水流の方向に対して傾斜した状態に展張する対策や、油等の浮遊物が再浮上する位置に別のオイルフェンスを設ける等、オイルフェンスを多段に設置したりする対策が有効であると考えられる。ところが、これらの対策を行うとすると、作業域が広範になることや、重いオイルフェンスを設置する手間が増大すること等から、油等の浮遊物の流出事故に迅速に対応しにくくなるという別の問題が生じる。
【０００８】
これに対し、上記のフロート単体型のオイルフェンス２０では、図２に示すように、フロート２１が水面近くに配されるだけなので、スカート垂下型のオイルフェンスで生じたような渦状の強い引き込み流は発生しない。このため、フロート単体型のオイルフェンス２０では、水面から深い位置まで油５０（浮遊物）が引き込まれる現象は生じにくい。しかし、フロート単体型のオイルフェンス２０では、フロート２１の上流部における水面近くの流速が、オイルフェンス２０によってそれほど低下しない。このため、フロート単体型のオイルフェンス２０では、フロート２１の上流部を浮遊する油５０（浮遊物）に剪断力が生じやすくなる。この剪断力は、流水域の流速が速くなればなるほど、顕著に生じるようになる。したがって、フロート単体型のオイルフェンス２０を用いた場合において、流水域の流速が速い場合（例えば２０ｃｍ／ｓ以上の場合）には、その油５０（浮遊物）が細かな油滴（浮遊物の粒）に分断されてフロート２１の下側を潜り抜けやすくなる。
【０００９】
本発明は、上記課題を解決するためになされたものであり、流水域を流下してくる浮遊物（特に軽油等の粘度の低い浮遊物）を下流側に流出しにくくすることのできるオイルフェンスを提供するものである。また、このようなオイルフェンスを、施工が容易なものとすることも本発明の目的である。
【課題を解決するための手段】
【００１０】
上記課題は、
流水域を流下する浮遊物を下流側へ流出しにくくするためのオイルフェンスであって、
所定の喫水で水中に浸漬される水中浸漬部を有し、少なくとも水中浸漬部の上流側面が、水面に対して略垂直となる状態で流水域の横断方向に沿って配される遮水フェンスと、
遮水フェンスの上流部で遮水フェンスに沿って配され、遮水フェンスの上流部における引き込み流発生領域の水面を、遮水フェンスに沿った帯状に覆う引き込み流発生領域被覆部材と
を備えた
ことを特徴とするオイルフェンス
を提供することによって解決される。
【００１１】
ここで、「オイルフェンス」における「オイル」とは、本発明のオイルフェンスで流出を抑制する浮遊物の代表例として記載したものである。このため、本発明のオイルフェンスで流出を抑制する対象の浮遊物は、オイル（油）に限定されない。したがって、ベンゼンやトルエン等の油以外の液体や、塵等の固体の流出を抑制するものであっても、本発明の「オイルフェンス」の概念に含まれるものとする。
【００１２】
また、「引き込み流発生領域」とは、遮水フェンスの上流部における、引き込み流（水面近くの滞水領域と、水中深くの通水領域との間に圧力差が生じた結果、滞水領域の水を通水領域へと間欠的に引きずり込む下向きの水流）が発生する領域のことを云う。図３及び図４に示すように、引き込み流発生領域γは、通常、遮水フェンス１３の上流部の滞水領域αにおける、遮水フェンス１３に近い側に形成される。このため、引き込み流発生領域γは、滞水領域αに含まれ、滞水領域よりも狭くなる。
【００１３】
本発明のオイルフェンスでは、遮水フェンスによって水流の流速を低下させ、浮遊物が滞留する滞水領域がオイルフェンスの上流部に形成されるようにして、浮遊物に剪断力が作用しないようにすることができる。加えて、本発明のオイルフェンスでは、滞水領域における引き込み流発生領域を、引き込み流発生領域被覆部材によって覆い、引き込み流発生領域に油等の浮遊物が移動しないようにする（浮遊物が、滞水領域における、遮水フェンスから上流側に離れた部分で滞留するようにする）こともできる。このため、浮遊物（特に軽油等の粘度の低い浮遊物）が流水域を流下してくる場合であっても、その浮遊物が下流側に流出しにくくすることが可能になる。また、このような機能を有するオイルフェンスを施工が容易なものとすることも可能になる。
【００１４】
本発明のオイルフェンスにおいて、引き込み流発生領域被覆部材は、上記の機能（引き込み流発生領域の水面を覆う機能）を発揮できるのであれば、その材質を特に限定されない。しかし、オイルフェンスに油（浮遊物）の遮蔽機能だけでなく、油（浮遊物）の除去機能も付与する観点からは、引き込み流発生領域被覆部材を、油吸着材によって形成すると好ましい。引き込み流発生領域被覆部材は、油（浮遊物）が滞留しやすい滞水領域に配されるため、この部分で油を吸着するようにすると、油を効率的に除去することが可能になる。
【発明の効果】
【００１５】
以上のように、本発明によって、流水域を流下してくる浮遊物（特に軽油等の粘度の低い浮遊物）を下流側に流出しにくくすることのできるオイルフェンスを提供することが可能になる。また、このようなオイルフェンスを、施工が容易なものとすることも可能になる。
【図面の簡単な説明】
【００１６】
【図１】河川（流水域）に施工された従来のスカート垂下型のオイルフェンスを、水流の流れ方向に平行な鉛直面で切断した状態を示した断面図である。
【図２】河川（流水域）に施工された従来のフロート単体型のオイルフェンスを、水流の流れ方向に平行な鉛直面で切断した状態を示した断面図である。
【図３】河川（流水域）に施工された本発明に係るオイルフェンスを、水流の流れ方向に平行な鉛直面で切断した状態を示した断面図である。
【図４】河川（流水域）に施工された本発明に係るオイルフェンスを、鉛直上方から見た状態を示した平面図である。
【図５】実験に用いた、本発明に係るオイルフェンスを撮影した写真である。
【図６】本発明に係るオイルフェンスを用いて実験を行っている様子を撮影した写真である。
【発明を実施するための形態】
【００１７】
１．本発明のオイルフェンスの概要
本発明のオイルフェンスの好適な実施態様について、図面を用いてより具体的に説明する。図３は、河川（流水域）に施工された本発明に係るオイルフェンス３０を、水流の流れ方向に平行な鉛直面で切断した状態を示した断面図である。図４は、河川（流水域）に施工された本発明に係るオイルフェンス３０を、鉛直上方から見た状態を示した平面図である。
【００１８】
本発明のオイルフェンス３０は、図１及び図２に示すように、河川等の流水域に施工するものであり、流水域を流下してくる浮遊物の下流側への流出を抑えることができるものとなっている。既に述べたように、本発明のオイルフェンスで流出を抑えることができる浮遊物としては、油、ベンゼン又はトルエン等の液体状の浮遊物や、塵等の固体状の浮遊物等が挙げられる。以下においては、説明の便宜上、油５０の流出を抑える場合を例に挙げて説明する。
【００１９】
本発明のオイルフェンス３０は、図４に示すように、長尺形状を有するものとなっており、河川等の流水域における水流の方向に対して傾斜した状態に配される。本実施態様においては、オイルフェンス３０の長手方向両端部を、河川（流水域）の両岸にそれぞれ固定することで、オイルフェンス３０を、河川の横断方向に沿って設置するようにしている。したがって、オイルフェンス３０の中央部は、水流から受ける圧力によって、流水域の下流側に湾曲した状態になっている。この湾曲は、小さければ特に問題にならないが、大きくなりすぎると、オイルフェンスの中央部に負荷が集中する虞や、オイルフェンスの中央部で越流が生じやすくなる虞がある。このため、河川（流水域）の幅が広い場合等、オイルフェンスが長くなる場合には、オイルフェンス３０の両端部以外の部分を、川床から立てた支柱等に支持させること等によって、湾曲を小さくすると好ましい。
【００２０】
ところで、図４において、オイルフェンス３０は、水流の方向に対して略垂直になっているが、水流の方向に対して非垂直に傾斜した状態に設けることもできる。この場合、オイルフェンス３０の両端部のうち、一端側が一方の川岸の上流側に配され、他端側が他方の川岸の下流側に配される。これにより、油５０等の浮遊物が、オイルフェンス３０の他端側の上流に集まるようになるため、油５０等の浮遊物の回収を容易に行うことが可能になる。したがって、オイルフェンス３０を撤去等する際に、オイルフェンス３０の上流側に溜まった油５０等の浮遊物が流下しないようにすることも容易となる。
【００２１】
本発明のオイルフェンス３０は、図３に示すように、遮水フェンス３１と、引き込み流発生領域被覆部材３２とで構成される。遮水フェンス３１は、水面近くの水流を堰き止めるための部分となっており、引き込み流発生領域被覆部材３２は、遮水フェンス３１の上流部における引き込み流発生領域γの水面を覆うための部分となっている。
【００２２】
本発明のオイルフェンス３０を、図４に示すように、河川等の流水域に施工すると、河川を流下してくる油５０等の浮遊物は、図３に示すように、遮水フェンス３１の上流側に形成される滞水領域αにおける、引き込み流発生領域被覆部材３２の上流に位置する部分に溜まるようになる。このため、引き込み流発生領域被覆部材３２の上流側には、油５０の膜５１（同図における太線部）が形成される。この油５０を、図示省略の油吸着材や油吸引手段によって回収することによって、河川等の流水域を流れる油５０等の浮遊物を回収することができる。また、後述するように、引き込み流発生領域被覆部材３２自体を油吸着材で形成しておくと、この引き込み流発生領域被覆部材３２に油５０を吸着させて回収することも可能である。
【００２３】
ところで、既に述べたように、図１に示した従来のスカート垂下型のオイルフェンス１０では、フロート１１の上流部（滞水領域αの下流部）の引き込み流発生領域γに引き込み流γ１が発生することにより、オイルフェンス１０の上流部の滞水領域αに溜まっていた油５０がスカート１２の下側を潜り抜けて流出する構造となっていたところ、本発明のオイルフェンス３０では、図３に示すように、引き込み流発生領域γの水面が引き込み流発生領域被覆部材３２によって覆われた状態となるため、滞水領域αに溜まる油５０の膜５１が、引き込み流発生領域γまで移動しないようにすることができるようになっている。また、引き込み流γ１が発生しにくくすることもできる。このため、滞水領域αに溜まった油５０が引き込み流γ１によって引き込まれて遮水フェンス３１の下側を潜り抜けてしまう流出現象を発生しにくくすることができるようになっている。
【００２４】
ただし、本発明のオイルフェンス３０でも、河川（流水域）の水流の流速が著しく速くなり、限界流速を超えた場合には、滞水領域αにおける、引き込み流発生領域被覆部材３２で覆われていない部分に溜まっている油５０の膜５１に、従来のフロート単体型のオイルフェンス２０（図２）で説明した剪断力が作用するようになる結果、油５０がその膜５１から引きちぎられて、オイルフェンス３０の下側を潜り抜けることがある。しかし、本発明のオイルフェンス３０では、このような剪断力による流出現象が生じた場合であっても、油５０の流出量は、従来のフロート単体型のオイルフェンス５０と比較すると、格段に少なくすることができる。
【００２５】
この点、少ないといっても、油５０が流出することは好ましいことではない。したがって、本発明のオイルフェンス３０を施工する場合でも、水流の流速が限界流速を超える可能性があるような場合には、その流出した油５０のさらなる流下を抑えるための手段（流出油流下防止手段）を、オイルフェンス３０の下流側に設けた方が確実である。例えば、本発明のオイルフェンス３０を多段に設け、下流側のオイルフェンス３０を流出油流下防止手段として利用する方法や、本発明のオイルフェンス３０の下流側（オイルフェンス３０の下側を潜り抜けた油５０が再浮上してくると思われる領域）の水面に、油吸着材を浮かべておくこと等が考えられる。本発明のオイルフェンス３０では、この場合においても、上流側のオイルフェンス３０の下側を潜り抜けた油５０が再浮上する領域をそのオイルフェンス３０から近い場所とすることができるため、そのオイルフェンス３０の下流側に設置する別のオイルフェンス３０や油吸着材を上流側のオイルフェンス３０の近くに配することができ、作業領域が広くならないようにすることが可能となっている。
【００２６】
以下、本発明のオイルフェンス３０を構成する各部材について説明する。
【００２７】
２．遮水フェンス
遮水フェンス３１は、図３に示すように、所定の喫水（同図の遮水フェンス３１における水中深さＤ１を参照。）で水中に浸漬される水中浸漬部３１ａを有している。この遮水フェンス３１は、図４に示すように、オイルフェンス３０の長手方向全体に亘って設けられている。このため、オイルフェンス３０を施工した後の遮水フェンス３１は、河川（流水域）の横断方向に沿って展張された状態となる。
【００２８】
遮水フェンス３１は、その水中浸漬部３１ａの上流側面３１ａ１が水面に対して略垂直になる状態で配される。ただし、施工後の遮水フェンス３１は、水流から圧力を受けるため、遮水フェンス３１には、その下端部を河川（流水域）の下流側に傾ける向きの力が加わる。このため、施工後において、水中浸漬部３１ａの上流側面３１ａ１は、水面に対して正確に垂直にしなければならないというわけではなく、ある程度の誤差（例えば、１０〜３０°程度の誤差）は許容される。
【００２９】
しかし、施工後の遮水フェンス３１が水面に垂直な状態から大きく傾いてしまうと、遮水フェンス３１がその機能（水面近くの水流を堰き止める機能）を発揮しにくくなり、本発明のオイルフェンス３０が意図する効果（上記の流出現象の抑制効果）が奏されにくくなる虞がある。このため、本実施態様においては、遮水フェンス３１の下縁部に沿って、金属製のチェーン３３を固定している。チェーン３３の両端部は、河川（流水域）の両岸に固定している。このチェーン３３は、ウェイトとして設けたものであり、遮水フェンス３１の下端部が下流側に流れにくくなる機能を有している。この他、遮水フェンス３１の下端部やチェーン３３等を、川岸や川床に打ち付けた杭に連結すること等によっても、遮水フェンス３１の下端部が下流側に流れるのを防ぐことができる。
【００３０】
遮水フェンス３１は、水に浮かないものを水面近くに支持することによって設けてもよい。しかし、この場合には、遮水フェンス３１を支持するための支柱等を施工する必要が生じ、オイルフェンス３０の施工が手間やコストを要するものとなるだけでなく、水位が変わった場合に、遮水フェンス３１の喫水Ｄ１（図３）が変化してしまう。このため、遮水フェンス３１は、通常、水に浮くもの（比重が１未満になるもの。）とされる。水中浸漬部３１ａの比重が１より大きくても、比重が１よりも小さいフロートを水中浸漬部３１ａの上部に取り付ける構成等も可能である。これにより、オイルフェンス３０の施工の手間やコストを抑えることが可能になるだけでなく、水位が変化しても遮水フェンス３１の喫水Ｄ１（図３）が変化しないようにすることが可能になる。本実施態様においては、ポリエチレン（ＰＥ）やポリスチレン（ＰＳ）等の樹脂の発泡体からなる芯材を、ターポリン等、透水性を有さない表皮内に収容したものを、遮水フェンス３１として用いている。
【００３１】
遮水フェンス３１は、上記のように、水面に対して略垂直となる上流側面３１ａ１を有する水中浸漬部３１ａを備えたものであれば、その形態を特に限定されない。遮水フェンス３１は、ブロック状や、シート材を張った状態に設けた形態等とすることもできるが、本実施態様においては、帯板状に形成している。図３に示すように、遮水フェンス３１の上部には、水面から上側に突出する水面突出部３１ｂも設けている。これにより、遮水フェンス３１の上側を水や油５０が越えないようにすることが可能になる。
【００３２】
遮水フェンス３１の水中浸漬部３１ａの高さ（遮水フェンス３１の喫水Ｄ１（図３））は、小さくしすぎると、遮水フェンス３１の上流側の滞水領域αに溜まる油５０に剪断力が作用するようになり、従来のフロート単体型のオイルフェンス２０（図２）で述べたものと同様の不具合が生じやすくなる虞がある。このため、遮水フェンス３１の水中浸漬部３１ａの高さ（喫水Ｄ１）は、通常、３ｃｍ以上とされる。遮水フェンス３１の水中浸漬部３１ａの高さ（喫水Ｄ１）は、４ｃｍ以上であると好ましく、５ｃｍ以上であるとより好ましい。
【００３３】
一方、遮水フェンス３１の水中浸漬部３１ａの高さ（喫水Ｄ１）を大きくしすぎても、油５０の流出現象の発生の抑制にあまり効かない（特に、オイルフェンス３０で油５０等の浮遊物の流出現象を防ぎきれなくなる水流の流速（限界流速）を高める効果は殆ど奏されないし、その限界流速を超えた場合に漏れ出る油５０等の浮遊物の量も殆ど変わらない。）にもかかわらず、遮水フェンス３１が大型化して、施工や運搬等がしにくいものとなる虞がある。また、遮水フェンス３１の喫水Ｄ１を深くすると、水流の流速が限界流速を超えて、油５０が遮水フェンス３１の下側を潜り抜けた場合に、その油が浮上する位置が遮水フェンス３１から遠く離れた箇所となるため、上記の流出油流下防止手段をオイルフェンス３０から下流側に遠く離れた箇所に設置する必要が生じる等、作業現場が広がってしまう。このため、遮水フェンス３１の水中浸漬部３１ａの高さ（喫水Ｄ１）は、通常、３０ｃｍ以下とされる。遮水フェンス３１の水中浸漬部３１ａの高さ（喫水Ｄ１）は、２０ｃｍ以下であると好ましく、１０ｃｍ以下であるとより好ましい。本実施態様において、遮水フェンス３１の水中浸漬部３１ａの高さ（喫水Ｄ１）は、約５ｃｍとなっている。
【００３４】
また、遮水フェンス３１の水面突出部３１ｂを低くしすぎると、遮水フェンス３１の上側を水や油５０が越える（越流が生じる）虞もある。このため、遮水フェンス３１の水面突出部３１ｂの高さは、通常、３ｃｍ以上とされる。遮水フェンス３１の水面突出部３１ｂの高さは、４ｃｍ以上であると好ましく、５ｃｍ以上であるとより好ましい。
【００３５】
一方、遮水フェンス３１の水面突出部３１ｂを高くしすぎると、上記の越流の防止にはあまり効かないにもかかわらず、遮水フェンス３１が大型化して、施工や運搬等がしにくいものとなる虞がある。このため、遮水フェンス３１の水面突出部３１ｂの高さは、通常、３０ｃｍ以下とされる。遮水フェンス３１の水面突出部３１ｂの高さは、２０ｃｍ以下であると好ましく、１５ｃｍ以下であるとより好ましい。これにより、オイルフェンス３０を小型化及び軽量化することが可能になる。本実施態様において、遮水フェンス３１の水面突出部３１ｂの高さは、約６ｃｍとなっている。
【００３６】
３．引き込み流発生領域被覆部材
引き込み流発生領域被覆部材３２は、図３に示すように、遮水フェンス３１の上流側に配され、引き込み流発生領域γの水面を覆うものとなっている。既に述べたように、遮水フェンス３１は、水流によって湾曲した状態となるところ、引き込み流発生領域被覆部材３２も、遮水フェンス３１に沿うように、ある程度、柔軟性を有する素材で形成すると好ましい。これにより、施工後の遮水フェンス３１が湾曲した状態となっても、遮水フェンス３１と引き込み流発生領域被覆部材３２との間に、引き込み流γ１が発生する程度の隙間が形成されないようにすることが可能になる。
【００３７】
引き込み流発生領域被覆部材３２は、水に浮かないものを水面近くに支持することによって設けてもよい。しかし、この場合には、引き込み流発生領域被覆部材３２を支持するための支柱等を施工する必要が生じ、オイルフェンス３０の施工が手間やコストを要するものとなる。このため、引き込み流発生領域被覆部材３２は、通常、水に浮くもの（比重が１未満のもの）とされる。これにより、オイルフェンス３０の施工の手間やコストを抑えることが可能になるだけでなく、水位が変化しても遮水フェンス３１の喫水Ｄ１（図３）が変化しないようにすることが可能になる。
【００３８】
また、引き込み流発生領域被覆部材３２は、油吸着機能等を有さない部材で構成してもよいが、油吸着材によって形成すると好ましい。というのも、引き込み流発生領域被覆部材３２は、油５０が滞留しやすい滞水領域αに配されるため、この部分で油５０を吸着できるようにすると、油５０を効率的に除去することが可能になるからである。また、オイルフェンス３０の撤収作業を行う際には、引き込み流発生領域被覆部材３２の下側に潜り込んだ油滴を引き込み流発生領域被覆部材３２に吸着させて回収することができようになり、残った油滴が撤収作業中に流下しないようにすることも可能になる。
【００３９】
本実施態様においても、引き込み流発生部材３２は、油吸着材によって形成している。具体的には、ポリエステルのメッシュシートからなるバッグの中に、油吸着材を収容したものを、引き込み流発生部材３２として用いている。本実施態様において、油吸着材には、コーヒー豆の絞り滓を焼成して炭化させた微細粉を採用しているが、このほか、合成繊維や天然繊維や炭化繊維等の繊維からなるシートも、油吸着材として利用することができる。しかし、このような薄手のシート状の油吸着材は、浮力が小さく、油を吸着すると水中に沈んでしまうため、このようなシート状の油吸着材を単体で用いることは、あまり適切ではない。
【００４０】
引き込み流発生領域被覆部材３２は、上記のように、引き込み流発生領域γ（滞水領域αにおける遮水フェンス３１寄りの部分）の水面を覆うことができるのであれば、その形態を特に限定されない。引き込み流発生領域被覆部材３２は、ブロック状等とすることもできるが、この場合には、引き込み流発生領域被覆部材３２が施工や運搬等をしにくいものとなる。このため、引き込み流発生領域被覆部材３２は、通常、マット状又はシート状等とされる。ただし、引き込み流発生領域被覆部材３２を薄手のシート状とすると、浮力が小さいため、水中に沈みこみやすくなる。このため、引き込み流発生領域被覆部材３２は、ある程度厚みを有するマット状のものとすると好ましい。本実施態様においても、引き込み流発生領域被覆部材３２は、マット状としている。
【００４１】
このとき、引き込み流発生領域被覆部材３２は、その全体を１つの部材で形成してもよいが、複数の部材を連結したものとすることもできる。本実施態様においては、図３に示すように、引き込み流発生領域被覆部材３２を、水流の方向で分割された被覆部材分割体３２ａ，３２ｂ，３２ｃ，３２ｄとで構成しており、これらの被覆部材分割体３２ａ，３２ｂ，３２ｃ，３２ｄをベルト等の連結部材で連結して使用するようにしている。これにより、引き込み流発生領域被覆部材３２を構成する被覆部材分割体３２ａ，３２ｂ，３２ｃ，３２ｄの個数等を増減させることが可能になり、オイルフェンス３０を施工する河川（流水域）の条件等に応じて、引き込み流発生領域被覆部材３２の水流方向での幅（図３における被覆幅Ｗ１を参照。）を変化させることが可能になる。
【００４２】
引き込み流発生領域被覆部材３２は、遮水フェンス３１に対して一体化させることもできる。これにより、オイルフェンス３０の施工後に、遮水フェンス３１と引き込み流発生領域被覆部材３２との間に隙間が生じる等して、遮水フェンス３１に対する引き込み流発生領域被覆部材３２の位置が変わり、引き込み流発生領域被覆部材３２が、引き込み流発生領域γからずれないようにすることができる。引き込み流発生領域被覆部材３２を遮水フェンス３１に対して一体化させる方法としては、引き込み流発生領域被覆部材３２を遮水フェンス３１に対して予め固定（縫着等）しておく方法や、遮水フェンス３１とは別体に形成された引き込み流発生領域被覆部材３２を施工時においてベルト等の連結部材で連結する方法等が挙げられる。
【００４３】
しかし、引き込み流発生領域被覆部材３２は、上記のように、油吸着材で形成する場合があり、この場合には、引き込み流発生領域被覆部材３２を交換等する場面も想定されるところ、前者の方法（引き込み流発生領域被覆部材３２を遮水フェンス３１に対して予め固定しておく方法）では、引き込み流発生領域被覆部材３２を交換するために、遮水フェンス３１まで引き上げる必要が生じる。このため、遮水フェンス３１に対して一体化させる場合には、後者の方法（遮水フェンス３１とは別体に形成された引き込み流発生領域被覆部材３２を施工時においてベルト等の連結部材で連結する方法）を採用すると好ましい。
【００４４】
ただし、河川（流水域）には、当然、水流があるところ、遮水フェンス３１の上流側に配した引き込み流発生領域被覆部材３２は、その水流によって遮水フェンス３１に押し付けられた状態（上記の隙間が生じない状態）となりやすい。このため、引き込み流発生領域被覆部材３２は、必ずしも、遮水フェンス３１に一体化させる必要はない。本実施態様においても、引き込み流発生領域被覆部材３２は、遮水フェンス３１から別体としているところ、オイルフェンス３０を施工する際には、引き込み流発生領域被覆部材３２を、遮水フェンス３１に対して特に連結等していない。
【００４５】
引き込み流発生領域被覆部材３２の喫水は、深くしすぎると、引き込み流発生領域被覆部材３２が、滞水領域αが形成される水深よりも深い位置に達してしまい、引き込み流発生領域被覆部材３２の上流側に別の引き込み流発生領域が形成されてしまう虞がある。このため、引き込み流発生領域被覆部材３２の喫水は、通常、２０ｍｍ以下とされる。引き込み流発生領域被覆部材３２の喫水は、１７ｍｍ以下とすると好ましく、１５ｍｍ以下とするとより好ましい。引き込み流発生領域被覆部材３２の喫水の下限は、特に限定されないが、通常、少なくとも０．５〜５ｍｍ程度は、水中に位置するようになる。
【００４６】
引き込み流発生領域被覆部材３２の被覆幅Ｗ１は、引き込み流発生領域γ（滞水領域αの下流側部分）の全体又はその大部分を覆うことができ、且つ、滞水領域αの全体又は大部分を覆わないのであれば、特に限定されない。ここで、「引き込み流発生領域被覆部材３２で滞水領域αの全体又は大部分を覆わない」という条件を課しているのは、引き込み流発生領域被覆部材３２を、滞水領域αの大部分を覆う程度に幅広にすると、引き込み流発生領域被覆部材３２の上流部に形成される油５０の膜５１（図３の太線部）が、滞水領域αからはみ出すことになり、その油５０の膜５１が、速い流速に晒されて、水流による剪断力によって細かな油滴に引きちぎられた結果、油５０が引き込み流発生領域被覆部材３２の下側に潜って、遮水フェンス３１の下側を潜り抜けやすくなってしまうからである。
【００４７】
ところが、引き込み流発生領域γや滞水領域αが形成される幅（図３における引き込み流発生領域γの形成幅Ｗ３及び滞水領域αの形成幅Ｗ１を参照。）は、遮水フェンス３１の湾曲の程度や喫水Ｄ１（図３）、水流の流速やその流線分布、風向きや風速等の諸条件によって異なるため、一義的には定まらない。例えば、遮水フェンス３１の喫水Ｄ１（図３）が深い場合や、遮水フェンス３１の湾曲具合が大きい場合等には、滞水領域αの形成幅Ｗ２が広くなり、河川（流水域）の上流側から強い風が吹き下している場合には、滞水領域αの形成幅Ｗ２が狭くなる。
【００４８】
しかし、いずれの場合においても、引き込み流発生領域γの形成幅Ｗ３が、滞水領域αの形成幅Ｗ２よりも大きくなることはない。また、本発明者らが重ねた実験から、滞水領域αの形成幅Ｗ２は、狭いときで１０ｃｍ程度、広いときで５０ｃｍ程度となり、引き込み流発生領域γの形成幅Ｗ３は、狭いときで５ｃｍ程度、広いときで２０ｃｍ程度となることが経験的に分かっている。加えて、引き込み流発生領域γの形成幅Ｗ３の全体を引き込み流発生領域被覆部材３２で覆わなくても、引き込み流発生領域γの大部分が引き込み流発生領域被覆部材３２で覆われた状態となっていれば、引き込み流γ１の発生を抑止する効果があることも確認できている。このため、引き込み流発生領域被覆部材３２の被覆幅Ｗ１は、実用上は、５〜２０ｃｍ程度に設定するとよく、７〜８ｃｍ程度とすると、好適である場合が多いことも確認できている。本実施態様において、引き込み流発生領域被覆部材３２の被覆幅Ｗ１は、約７．５ｃｍ（遮水フェンス３１の喫水Ｄ１（図３）の１．５倍程度）としている。
【００４９】
４．実験
本発明のオイルフェンス３０による流出現象の抑制効果を確認するため、実験を行った。図５は、実験に用いた、本発明に係るオイルフェンス３０を撮影した写真である。図６は、本発明に係るオイルフェンス３０を用いて実験を行っている様子を撮影した写真である。
【００５０】
実験は、以下の手順で行った。
［１］  水路の調整
出願人が有する実験水路（水路幅２ｍの循環型水路）に水深２４ｃｍになるまで水を溜めて、約３０ｃｍ／ｓの流速の水流を発生させた。
［２］  オイルフェンスの展張
オイルフェンス３０を、図６及び図７に示すように、上記の実験水路を横断するように展張した。オイルフェンス３０は、遮水フェンス３１の喫水Ｄ１（図３を参照）が遮水フェンス３１の上流側で約６ｃｍ、下流側で約５ｃｍとなり、若干弛みを持たせた状態で実験水路に略垂直となる状態で展張した。また、オイルフェンス３０は、図５に示すように、引き込み流発生領域被覆部材３２として、被覆幅の異なる複数種類の被覆部材分割体３２ａ，３２ｂ，３２ｃで形成されたものを用い、引き込み流発生領域被覆部材３２の被覆幅Ｗ１（図３を参照）を変えながら行った。引き込み流発生領域被覆部材３２の被覆幅Ｗ１は、０ｍｍ（比較例１）と、３５ｍｍ（実施例１）と、５５ｍｍ（実施例２）と７５ｍｍ（実施例３）と１１０ｍｍ（実施例４）との５パターンを試した。オイルフェンス３０における遮水フェンス３１や引き込み流発生領域被覆部材３２の素材等は、上述したものと同じものとした。
［３］  油の注入
上記のオイルフェンス３０から上流側に約１ｍの箇所の水面に、赤紫色に着色した５０ｃｃの油５０を注いだ。油５０は、油滴にならないようにゆっくりと静かに水面に注いだ。
［４］  測定
上記の油５０を注いでから、オイルフェンス３０の上流側に油５０が目視できなくなるまでの時間（オイルフェンス３０が油５０を保持できる時間。以下「保持時間」と呼ぶことがある。）を計測した。既に述べたように、実験水路は、循環型水路（流下した水を揚水ポンプにより組み上げて上流側に戻す構造の水路）であるところオイルフェンス３０の下流側には、別のオイルフェンス及びオイルマットを設置し、オイルフェンス３０を潜り抜けた油５０が再びオイルフェンス３０の上流側から流れてこないようにした。
【００５１】
以上の手順により実験を行ったところ、下記表１に示す結果が得られた。
【表１】
2018184706.tif 000003
【００５２】
以上の実験結果から、オイルフェンスは、引き込み流発生領域被覆部材を有さない比較例１の場合よりも、引き込み流発生領域被覆部材を有する実施例１〜４の方が、油の保持時間を長くできる（流出現象の発生を抑制できる）ことが分かった。また、油の保持時間は、引き込み流発生領域被覆部材の被覆幅Ｄ１にも影響され、被覆幅Ｄ１が約７５ｍｍの実施例３の場合が最も長かった。これは、被覆幅Ｄ１が約３５ｍｍや薬５５ｍｍの実施例１，２では、引き込み流発生領域を覆うものとしては、引き込み流発生領域被覆部材の被覆幅Ｄ１が足りなかった一方で、被覆幅Ｄ１が約１１０ｍｍの実施例４では、滞水領域の全て又は大部分が引き込み流発生領域被覆部材によって覆われてしまい、引き込み流発生領域被覆部材の上流部に溜まる油が速い流速に晒されてしまった影響であると推測される。
【符号の説明】
【００５３】
１０      従来のスカート垂下型のオイルフェンス
１１      フロート
１２      スカート
２０      従来のフロート単体型のオイルフェンス
２１      フロート
３０      本発明のオイルフェンス
３１      遮水フェンス
３１ａ    水中浸漬部
３１ａ１  水中浸漬部の上流側面
３１ｂ    水面突出部
３２      引き込み流発生領域被覆部材
３２ａ    被覆部材分割体
３２ｂ    被覆部材分割体
３２ｃ    被覆部材分割体
３２ｄ    被覆部材分割体
３３      チェーン（ウェイト）
５０      油
５１      油の膜
Ｄ１    遮水フェンスにおける水中深さ（喫水）
Ｗ１    引き込み流発生領域被覆部材の被覆幅
Ｗ３    引き込み流発生領域の形成幅
Ｗ１    滞水領域の形成幅
α      滞水領域
β      通水領域
γ      引き込み流発生領域
γ１    引き込み流
【図１】
2018184706.tif 000004
【図２】
2018184706.tif 000005
【図３】
2018184706.tif 000006
【図４】
2018184706.tif 000007
【図５】
2018184706.tif 000008
【図６】
2018184706.tif 000009